(57)【要約】【課題】乾燥性能の向上と維持を図った生ごみ処理機を提供する。【解決手段】生ごみ３２を収納する生ごみ収納容器１２と、間欠的に回転して前記生ごみ収納容器１２内に投入された生ごみ３２を粉砕、攪拌する回転刃１４と、生ごみ収納容器１２の底面または／及び側面を加熱するヒータ２０と、生ごみ収納容器１２内に風を送る送風ファン１９とを備え、運転初期に、回転刃１４の動作時間を運転初期以外での動作時間より長くして、運転初期に生ごみを粉砕減容するもので、ヒータ２０からの熱伝達が向上し乾燥性能が向上すると共に生ごみ３２が減容するのでファンカバー２２へのごみの付着を防止することができ乾燥性能の維持が図れる。また、生ごみの乾燥がすすんだときにも送風ファン１９による風によって生ごみ収納容器１２に接触していない生ごみ３２も乾燥でき、乾燥性能の優れた生ごみ処理機を提供することができる。【選択図】図１
2011115716.tif 000002
【特許請求の範囲】
【請求項１】
生ごみを収納する生ごみ収納容器と、間欠的に回転して前記生ごみ収納容器内に投入された生ごみを粉砕、攪拌する回転刃と、前記生ごみ収納容器を加熱する加熱手段と、前記生ごみ収納容器内に風を送る送風ファンとを備え、前記回転刃の動作条件を、運転初期とそれ以外の期間で変更させて、運転初期に生ごみを粉砕減容する生ごみ処理機。
【請求項２】
運転初期は、回転刃の動作時間を長くしたことを特徴とする請求項１に記載の生ごみ処理機。
【請求項３】
運転初期は、回転刃の動作速度を早くしたことを特徴とする請求項１または２に記載の生ごみ処理機。
【請求項４】
運転初期は、回転刃の回転動作間隔を短くしたことを特徴とする請求項１〜３のいずれか１項に記載の生ごみ処理機。
【請求項５】
運転初期は、送風ファンの動作を停止することを特徴とする請求項１〜４のいずれか１項に記載の生ごみ処理機。
【請求項６】
運転初期は、送風ファンの回転速度を遅くすることを特徴とする請求項１〜４のいずれか１項に記載の生ごみ処理機。
【請求項７】
生ごみ収納容器の少なくとも底部を金属としたことを特徴とする請求項１〜６のいずれか１項に記載の生ごみ処理機。
【請求項８】
加熱手段は、生ごみ収納容器を電磁誘導作用で加熱することを特徴とする請求項１〜７に記載の生ごみ処理機。
【発明の詳細な説明】
【技術分野】
【０００１】
本発明は、主に家庭の台所で発生する生ごみを減量および減容させる生ごみ処理機に関するものである。
【背景技術】
【０００２】
従来の生ごみ処理機のうち乾燥方式を採用しているものでは、主として温風を生ごみ収納容器内に送り込む方式（温風方式）と、生ごみ収納容器を加熱して生ごみ収納容器内を加熱する方式の２種類が知られている。温風方式の従来の生ごみ処理機は、図２に示すように、外容器１に挿入され取外し自在の生ごみ収納容器３と、外容器１の底面に設けた駆動部４と、生ごみ収納容器３の底面に設けた縦軸式の回転刃５と、駆動部４と回転刃５を連結する連結部６と、生ごみ収納容器３の上部に設けた送風ファン８およびリング状の電気ヒータなどからなる加熱手段９と、送風ファン８と加熱手段９とを覆うと共に多数の孔（図示せず）を有するファンカバー１０からなり、回転刃５を回転させることによって生ごみ２を粉砕攪拌しながら、加熱手段９と送風ファン８によって生ごみ収納容器３内に、上方から温風を拡散させ、生ごみ２を加熱乾燥するようにしていた（例えば、特許文献１参照）。
【０００３】
一方、生ごみ収納容器を加熱する（送風手段のない）方式を用いた従来の生ごみ処理機においては、図３に示すように、生ごみ収納容器３の底面近傍に加熱手段９を設けて、生ごみ収納容器３を加熱し、生ごみ２に生ごみ収納容器３の熱を伝達し生ごみ２を乾燥させるようにしていた（例えば、特許文献２参照）。尚、図２に示した生ごみ処理機と同一部分には同一符号を付して、その説明は省略する。
【先行技術文献】
【特許文献】
【０００４】
【特許文献１】特許第３００６３６５号公報
【特許文献２】特許第３２７９２１８号公報
【発明の概要】
【発明が解決しようとする課題】
【０００５】
しかしながら、上記従来の温風方式の生ごみ処理機の構成では、加熱乾燥する温風が、生ごみ２の表面だけに流れ、生ごみ収納容器３の底面近傍の生ごみ２には届き難いため、乾燥性能が向上できないという課題を有していた。また、特に、生ごみ２が多量に投入された場合、生ごみ２が送風ファン８の近傍に存在するので、温風が生ごみ収納容器３の中央を上昇して乾燥ファン８に戻る際に、生ごみ２の破片や粉を巻き上げ、生ごみ２の破片や粉がファンカバー１０に付着するという課題を有していた。これらの付着が送風ファン８により生ごみ収納容器３内に形成する対流を少なくするので、乾燥性能が低下する。
【０００６】
一方、生ごみ収納容器３を外部から加熱する（送風手段のない）方式の従来の生ごみ処理機の構成では、生ごみ収納容器３の内表面に接する生ごみには熱が伝わるが、生ごみ収納容器３の内表面から離れた部分にある生ごみには熱が伝わりにくく、また、生ごみ２の乾燥がすすむにつれて生ごみ２が固形化し、生ごみ収納容器３から生ごみ２への熱が伝わりにくくなり乾燥性能が低下するという課題を有していた。
【０００７】
本発明は、前記従来の課題を解決するもので、乾燥性能の向上と維持を図った生ごみ処理機を提供することを目的とする。
【課題を解決するための手段】
【０００８】
上記従来の課題を解決するために、本発明の生ごみ処理機は、生ごみを収納する生ごみ収納容器と、間欠的に回転して前記生ごみ収納容器内に投入された生ごみを粉砕、攪拌する回転刃と、前記生ごみ収納容器を加熱する加熱手段と、前記生ごみ収納容器内に風を送る送風ファンとを備え、運転初期に、前記回転刃の動作条件をそれ以外の時期に対して変更させて運転初期に生ごみを粉砕減容するものである。具体的には、前記回転刃の動作時間を運転初期以外での動作時間より長くして、運転初期に生ごみを粉砕減容するもので、加熱手段からの熱伝達が向上し乾燥性能が向上すると共に生ごみが減容するので、送風ファンを覆うファンカバーへのごみの付着を防止することができ、乾燥性能の向上とその維持が図れる。また、生ごみの乾燥が進んだときにも送風ファンによる風によって生ごみ収納容器に接触していない生ごみを乾燥させることができるので、乾燥性能の優れた生ごみ処理機を提供することができる。
【０００９】
また、本発明の生ごみ処理機は、運転初期に、前記回転刃の動作速度を、運転初期以外での動作速度より早くし、運転初期に生ごみを粉砕減容するもので、送風ファンを覆うファンカバーへのごみの付着を防止することができ乾燥性能の向上とその維持が図れる。また、生ごみの乾燥が進んだときにも送風ファンによる風によって生ごみ収納容器に接触していない生ごみを乾燥させることができるので、乾燥性能の優れた生ごみ処理機を提供することができる。
【００１０】
また、本発明の生ごみ処理機は、運転初期に、前記回転刃の回転動作間隔を運転初期以外での回転動作間隔より短くし、運転初期に生ごみを粉砕減容するもので、送風ファンを覆うファンカバーへのごみの付着を防止することができ乾燥性能の向上とその維持が図れる。また、生ごみの乾燥が進んだときにも送風ファンによる風によって生ごみ収納容器に接触していない生ごみを乾燥させることができるので、乾燥性能の優れた生ごみ処理機を提供することができる。
【発明の効果】
【００１１】
本発明の生ごみ処理機は、乾燥性能の向上とその維持が図れるものである。
【図面の簡単な説明】
【００１２】
【図１】本発明の第１の実施の形態における生ごみ処理機の断面図
【図２】従来の生ごみ処理機の断面図
【図３】従来の生ごみ処理機の他の例を示す断面図
【発明を実施するための形態】
【００１３】
第１の発明は、生ごみを収納する生ごみ収納容器と、間欠的に回転して前記生ごみ収納容器内に投入された生ごみを粉砕、攪拌する回転刃と、前記生ごみ収納容器を加熱する加熱手段と、前記生ごみ収納容器内に風を送る送風ファンとを備え、前記回転刃の動作条件を、運転初期とそれ以外の期間で変更させて、運転初期に生ごみを粉砕減容するものである。具体的には運転初期に、前記回転刃の動作時間を運転初期以外での動作時間より長くして、運転初期に生ごみを粉砕減容するもので、加熱手段からの熱伝達が向上し乾燥性能が向上すると共に生ごみが減容するので、送風ファンを覆うファンカバーへのごみの付着を防止することができ、乾燥性能の向上とその維持が図れる。また、生ごみの乾燥が進んだときにも送風ファンによる風によって生ごみ収納容器に接触していない生ごみを乾燥させることができるので、乾燥性能の優れた生ごみ処理機を提供することができる。  
【００１４】
第２の発明は、運転初期に、前記回転刃の動作速度を、運転初期以外での動作速度より早くし、運転初期に生ごみを粉砕減容するもので、送風ファンを覆うファンカバーへのごみの付着を防止することができ乾燥性能の向上とその維持が図れる。また、生ごみの乾燥
が進んだときにも送風ファンによる風によって生ごみ収納容器に接触していない生ごみを乾燥させることができるので、乾燥性能の優れた生ごみ処理機を提供することができる。
【００１５】
第３の発明は、運転初期に、前記回転刃の回転動作間隔を運転初期以外での回転動作間隔より短くし、運転初期に生ごみを粉砕減容するもので、送風ファンを覆うファンカバーへのごみの付着を防止することができ乾燥性能の向上とその維持が図れる。また、生ごみの乾燥が進んだときにも送風ファンによる風によって生ごみ収納容器に接触していない生ごみを乾燥させることができるので、乾燥性能の優れた生ごみ処理機を提供することができる。
【００１６】
第４の発明は、特に、第１〜３のいずれか一つの発明の運転初期は、送風ファンの動作を停止するもので、ファンカバーへのごみの付着を防止することができるので乾燥性能を維持できる生ごみ処理機を提供することができる。
【００１７】
第５の発明は、特に、第１〜３のいずれか一つの発明の運転初期は、送風ファンの回転速度を遅くするもので、ファンカバーへのごみの付着を防止することができるので乾燥性能を維持できる生ごみ処理機を提供することができる。
【００１８】
第６の発明は、特に、第１〜５のいずれか一つの発明の生ごみ収納容器の少なくとも底部を金属としたもので、加熱手段から効率的に生ごみに熱伝達することができるので乾燥性能の優れた生ごみ処理機を提供することができる。
【００１９】
第７の発明は、特に、第６の発明の加熱手段は、生ごみ収納容器を電磁誘導作用で加熱するもので、生ごみ収納容器を直接加熱することができるので乾燥性能の優れた生ごみ処理機を提供することができる。
【００２０】
以下、本発明の実施の形態について、図面を参照しながら説明する。なお、この実施の形態によりこの発明が限定されるものではない。
【００２１】
（実施の形態１）
図１は、本発明の実施の形態１における生ごみ処理機の断面図である。図１において、本実施の形態における生ごみ処理機の本体４０は、生ゴミ等を収納する生ごみ収納容器１２を着脱自在に収容する外容器１１を備えている。生ごみ収納容器１２は、樹脂でも金属でもかまわないが、金属のほうが効率的に加熱することができるので、より乾燥性能の優れたものとなる。生ごみ収納容器１２の内壁には固定刃１３が設けられ、この固定刃１３と交差しながら回転する回転刃１４がセンター軸１６に連結されている。センター軸１６は、外容器１１の底部に設けた連結部１７により、着脱自在に回転軸１８に連結されており、回転軸１８は、駆動モータ１５で駆動される。
【００２２】
上記固定刃１３と回転刃１４により、生ごみ収納容器１２の内部の生ごみ等を粉砕撹拌する粉砕撹拌手段を構成している。２０は、生ごみ収納容器１２を加熱する加熱手段となるヒ−タであり、生ごみ収納容器１２の下部に配置してある。
【００２３】
本実施の形態では、ヒータ２０は、リング状の電気ヒータで構成しているが、金属製の生ごみ収納容器１２と電磁誘導コイル（図示せず）の組み合わせで構成すれば、直接生ゴミ収納容器１２を誘導加熱することができるので、より乾燥性能の優れたものとなる。２４は、本体４０に開閉可能に設けた蓋で、蓋２４の内側に、裏蓋２７を設け、生ごみ収納容器１２の開口１２ａを、裏蓋２７に取着したパッキン２５にてシールしている。この裏蓋２７には、外気を導入する吸気口２６と、生ごみ３２から発生した蒸気を排出する排出口３０が設けられている。
【００２４】
生ごみ収納容器１２の上部には、生ごみ収納容器１２内に風を送る送風ファン１９が裏蓋２７の上部に取り付けられた送風モータ２１の軸を介して配置されている。送風ファン１９の周囲は、生ごみ３２が送風ファン１９に接触するのを防止すると共に、多数の開口部（図示せず）を有するファンカバー２２で囲まれており、送風ファン１９で発生した風は、ファンカバー２２の外側の開口部を通って生ごみ収納容器１２内に送られると共に、ファンカバー２２の内側の開口部からは空気を吸い込み、生ごみ収納容器１２内に対流を起こしている。
【００２５】
排出口３０には、排気通路２３が接続されており、排気の臭いを脱臭する脱臭装置３１に連結し、排気用の通路を形成している。脱臭装置３１の排気側には、排気ファン２８と排気ファンモータ２９からなる吸引手段が配されており、生ごみ収納容器１２内の蒸気は、排気ファン２８によって吸引されると共に外部に排出されるようになっている。
【００２６】
以上のように構成された本実施の形態における生ごみ処理機の動作を、以下に説明する。
【００２７】
生ごみ収納容器１２に投入された生ごみ３２は、間欠的に正転、反転を行なう回転刃１４により攪拌されると共に回転刃１４と固定刃１３により粉砕される。ヒータ２０により加熱された生ごみ収納容器１２は、生ごみ３２等を加熱し、加熱された生ごみ３２等からは水蒸気が発生する。発生した臭気を含む水蒸気は、排気ファン２８と排気ファンモータ２９からなる吸引手段により吸引され、生ごみ収納容器１２の上部の排出口３０、排気通路２３を通って脱臭装置３１に導入される。
【００２８】
脱臭装置３１に導入された臭気を含む蒸気は、脱臭装置３１にて臭いが除去された後、外部に排出される。生ごみ収納容器１２内へは、吸気口２６から常に新鮮な空気が吸引され、乾燥中の蒸気は、スムーズに脱臭装置３１側に吸引されるため、乾燥ごみへの臭いの再付着も抑えられる。よって乾燥中は異臭もない上、棄てやすく、また乾燥して水分活性が低下しているので、腐敗したりカビが発生することはない。よって生ごみ３２に比べ、扱いやすく、少量の処理しやすいごみに変換することができる。
【００２９】
ここで運転開始から５分間から３０分間の運転初期において、回転刃１４の回転時間を長くするあるいは回転速度を早くするあるいは回転周期を短くすることで、運転初期において生ごみ３２を粉砕し減容液状化して、生ごみ収納容器１２の底面との接触面積を増やし、効率的に生ごみ３２へ熱を伝達することができるようになる。生ごみ３２が減容液状化した後は、回転刃１４の回転時間を短くするあるいは回転速度を遅くするあるいは回転周期を長くすることで、回転刃１４の回転時に生ずる騒音の低減、駆動モータ１５の負荷低減をはかることができる。
【００３０】
さらに、本実施の形態では、運転初期、つまり生ごみ３２が送風ファン１９に近接している間は、送風ファン１９を停止あるいはその回転速度を遅くしているので、ファンカバー２２への生ごみ３２の付着が抑えられ、乾燥性能の低下を防止することができる。
【００３１】
また、生ごみ３２の乾燥がすすむにつれて、液状化していた生ごみ３２が固形化し生ごみ収納容器１２から生ごみ３２へ熱が伝わりにくくなるが、送風ファン１９による風が生ごみ処理容器１２の壁面に沿って旋回しながら下降していくので加熱された生ごみ収納容器１２の熱によって温風となって生ごみ３２の表面を流れことになり、生ごみ収納容器１２に接触していない生ごみ３２の表面を加熱することができるので、生ごみ３２の乾燥がすすんでいる状態でも、乾燥性能を維持することができ、乾燥性能に優れた生ごみ処理機を提供することができる。
【産業上の利用可能性】
【００３２】
以上のように本発明にかかる生ごみ処理機は乾燥性能の向上と維持を図ったものであり、主に家庭の台所で発生する生ごみを処理する生ごみ処理機として最適なものである。
【符号の説明】
【００３３】
１２  生ごみ収納容器
１３  固定刃
１４  回転刃
１９  送風ファン
２０  ヒータ（加熱手段）
２２  ファンカバー
【図１】
2011115716.tif 000003
【図２】
2011115716.tif 000004
【図３】
2011115716.tif 000005